(57)【特許請求の範囲】
【請求項１】
インクジェット記録装置と、前記インクジェット記録装置を制御する制御部とを含むインクジェット記録システムであって、
前記インクジェット記録装置は、
光輝性顔料を含む光輝性インク組成物と、
前記光輝性顔料よりも可視光吸収量が多い顔料を含むカラーインク組成物と、
記録媒体に対して前記光輝性インク組成物と前記カラーインク組成物とを吐出する吐出ヘッドと、を備え、
前記制御部は、
前記光輝性インク組成物の吐出量及び前記カラーインク組成物の吐出量の少なくとも一方が異なる複数の記録モードから１つの記録モードを選択するモード選択部と、
ユーザーによって入力された入力画像と選択された記録モードとに基づいて、前記吐出ヘッドから吐出される前記光輝性インク組成物の吐出量と、前記吐出ヘッドから吐出される前記カラーインク組成物の吐出量とを制御する吐出量制御部と、を含み、
前記吐出量制御部は、
前記複数の記録モードから第１モードが選択された場合に、前記記録媒体上の第１画像領域に対して前記光輝性インク組成物による光輝性画像を形成し、前記光輝性画像に対して前記カラーインク組成物によるカラー画像を形成し、前記第１画像領域に接する第２画像領域に対して前記カラーインク組成物によるカラー画像を形成する制御を行うことで、前記入力画像に応じたセキュリティー画像を前記記録媒体に記録する制御を行い、
前記複数の記録モードから第２モードが選択された場合に、前記第１画像領域に対して前記光輝性インク組成物による光輝性画像を形成し、前記光輝性画像に対して前記カラーインク組成物によるカラー画像を形成する制御を行うことで、前記入力画像に応じた非セキュリティー画像を前記記録媒体に記録する制御を行い、
前記第１モードにおける前記第１画像領域での前記カラーインク組成物の単位面積当たりの吐出量は、前記第２モードにおける前記第１画像領域での前記カラーインク組成物の単位面積当たりの吐出量よりも多い、インクジェット記録システム。
【請求項２】
前記第１画像領域又は前記第２画像領域は、前記入力画像における文字、バーコード又は図形に対応する領域である、請求項１に記載のインクジェット記録システム。
【請求項３】
前記吐出量制御部は、
前記第１画像領域における前記光輝性画像と前記カラー画像との間に、色材を実質的に含有しないクリアインク組成物によるクリア画像を形成する制御を行う、請求項１又は２に記載のインクジェット記録システム。
【請求項４】
インクジェット記録装置と、前記インクジェット記録装置を制御する制御部とを含むインクジェット記録システムであって、
前記インクジェット記録装置は、
光輝性顔料を含む光輝性インク組成物と、
前記光輝性顔料よりも可視光吸収量が多い顔料を含むカラーインク組成物と、
記録媒体に対して前記光輝性インク組成物と前記カラーインク組成物とを吐出する吐出ヘッドと、を備え、
前記制御部は、
前記光輝性インク組成物の吐出量及び前記カラーインク組成物の吐出量の少なくとも一方が異なる複数の記録モードから１つの記録モードを選択するモード選択部と、
ユーザーによって入力された入力画像と選択された記録モードとに基づいて、前記吐出ヘッドから吐出される前記光輝性インク組成物の吐出量と、前記吐出ヘッドから吐出される前記カラーインク組成物の吐出量とを制御する吐出量制御部と、を含み、
前記吐出量制御部は、
前記複数の記録モードから第１モードが選択された場合に、前記記録媒体上の第１画像領域に対して前記光輝性インク組成物による光輝性画像を形成し、前記光輝性画像に対して前記カラーインク組成物によるカラー画像を形成し、前記第１画像領域に接する第２画像領域に対して前記カラーインク組成物によるカラー画像を形成する制御を行うことで、前記入力画像に応じたセキュリティー画像を前記記録媒体に記録する制御を行い、
前記複数の記録モードから第３モードが選択された場合に、前記第１画像領域に対して前記光輝性画像を形成し、前記光輝性画像に対して色材を実質的に含有しないクリアインク組成物によるクリア画像を形成し、前記クリア画像に対して前記カラー画像を形成し、前記第２画像領域に対して前記カラー画像を形成する制御を行うことで、前記入力画像に応じたセキュリティー画像を前記記録媒体に記録する制御を行い、
前記第３モードにおける前記第１画像領域での前記カラーインク組成物の単位面積当たりの吐出量は、前記第１モードにおける前記第１画像領域での前記カラーインク組成物の単位面積当たりの吐出量よりも少ない、インクジェット記録システム。
【請求項５】
前記制御部は、
前記入力画像に応じたセキュリティー画像のセキュリティー性が低いと判断した場合に、ユーザーに対して警告を告知する処理を行う、請求項１乃至４のいずれか１項に記載のインクジェット記録システム。
【請求項６】
前記制御部は、
前記入力画像に応じたセキュリティー画像のセキュリティー性が低いと判断した場合に、前記第１モードにおける前記カラー画像の色を変更する制御を行う、請求項１乃至５のいずれか１項に記載のインクジェット記録システム。
【請求項７】
前記制御部は、
前記第１画像領域に形成される画像のＬ値と前記第２画像領域に形成される画像のＬ値が近づくように、前記カラー画像の色を変更する制御を行う、請求項６に記載のインクジェット記録システム。
【請求項８】
前記制御部は、
前記入力画像に応じたセキュリティー画像のセキュリティー性が低いと判断した場合に、前記第１モードにおける前記第１画像領域及び前記第２画像領域の少なくとも一方の面積を変更する制御を行う、請求項１乃至７のいずれか１項に記載のインクジェット記録システム。
【請求項９】
前記第１モードにおいて前記第１画像領域に吐出される前記光輝性インク組成物中の単位面積当たりの前記光輝性顔料の重量は、０．００８ｍｇ／ｉｎｃｈ２以上３２．３ｍｇ／ｉｎｃｈ２以下である、請求項１乃至８のいずれか１項に記載のインクジェット記録システム。
【請求項１０】
前記第１モードにおいて前記第１画像領域に吐出される前記カラーインク組成物中の単位面積当たりの色材重量Ａと、前記第１モードにおいて前記第２画像領域に吐出される前記カラーインク組成物中の単位面積当たりの色材重量Ｂと、前記第１モードにおいて前記第１画像領域に吐出される前記光輝性インク組成物中の単位面積当たりの光輝性顔料の重量Ｃとは、以下の関係である、請求項１乃至９のいずれか１項に記載のインクジェット記録システム。
０．３≧Ｃ／（Ａ＋Ｃ）≧０．０４５  且つ、
０．３≧Ｃ／（Ｂ＋Ｃ）≧０．０４５  且つ、
１．１≧Ａ／Ｂ≧０．９
【請求項１１】
前記制御部は、
セキュリティー画像作成用画面を表示部に表示させ、前記セキュリティー画像作成用において作成されたセキュリティー画像の記録データを前記インクジェット記録装置に出力する、請求項１乃至１０のいずれか１項に記載のインクジェット記録システム。
【請求項１２】
前記制御部は、
前記セキュリティー画像作成用画面においてセキュリティーパターン画像が入力された場合に、前記セキュリティーパターン画像におけるセキュリティーパターンの周辺にカラー画像の記録データを配置してセキュリティー画像の記録データを生成する、請求項１１に記載のインクジェット記録システム。
【発明の詳細な説明】
【技術分野】
【０００１】
本発明は、インクジェット記録システムに関する。
【背景技術】
【０００２】
特許文献１には、観察する視点の角度を変化させることで視認性情報が非視認性情報に変化する偽造防止用情報担持体であって、情報画像領域及び背景画像領域のいずれか一方が、光輝性インクによって、基体を隠蔽率９０〜１００％で隠蔽する隠蔽層で形成され、他方が、光輝性インクによって、基体を隠蔽率７０〜８５％で隠蔽する隠蔽層で形成された偽造防止用情報担持体が開示されている（実施例１）。また、特許文献１には、情報画像領域及び背景画像領域の両方が、光輝性インクによる隠蔽層で形成され、情報画像領域及び背景画像領域のいずれか一方が、当該光輝性材料による隠蔽層の上に、カラーインクによる隠蔽層で形成された偽造防止用情報担持体が開示されている（実施例２）。
【先行技術文献】
【特許文献】
【０００３】
【特許文献１】特開２００１−１２１８０４号公報
【発明の概要】
【発明が解決しようとする課題】
【０００４】
特許文献１に開示された実施例１では、情報画像領域と背景画像領域が同一のインクで印刷され、且つ情報画像領域と背景画像領域での隠蔽率の差が小さいため、視認性の角度依存性が低い。また、特許文献１に開示された実施例２では、カラーインクの打ち込み量が少ないため、視認性の角度依存性が低い。
【課題を解決するための手段】
【０００５】
本発明は前述の課題の少なくとも一部を解決するためになされたものであり、以下の態様または適用例として実現することができる。
【０００６】
（１）本発明に係るインクジェット記録システムの一態様は、インクジェット記録装置と、前記インクジェット記録装置を制御する制御部とを含み、前記インクジェット記録装置は、光輝性顔料を含む光輝性インク組成物と、前記光輝性顔料よりも可視光吸収量が多い顔料を含むカラーインク組成物と、記録媒体に対して前記光輝性インク組成物と前記カラーインク組成物とを吐出する吐出ヘッドと、を備え、前記制御部は、前記光輝性インク組成物の吐出量及び前記カラーインク組成物の吐出量の少なくとも一方が異なる複数の記録モードから１つの記録モードを選択するモード選択部と、ユーザーによって入力された入力画像と選択された前記記録モードとに基づいて、前記吐出ヘッドから吐出される前記光輝性インク組成物の吐出量と、前記吐出ヘッドから吐出される前記カラーインク組成物の吐出量とを制御する吐出量制御部と、を含み、前記吐出量制御部は、前記複数の記録モードから第１モードが選択された場合に、前記記録媒体上の第１画像領域に対して前記光輝性インク組成物による光輝性画像を形成し、前記光輝性画像に対して前記カラーインク組成物によるカラー画像を形成し、前記第１画像領域に接する第２画像領域に対して前記カラーインク組成物によるカラー画像を形成する制御を行うことで、前記入力画像に応じたセキュリティー画像を前記記録媒体に記録する制御を行う。
【０００７】
このようなインクジェット記録システムでは、第１モードが選択され、入力画像に応じたセキュリティー画像を記録媒体に記録する場合に、録媒体上の第１画像領域に対して光輝性インク組成物による光輝性画像を形成し、光輝性画像に対してカラーインク組成物によるカラー画像を形成し、第１画像領域に接する第２画像領域に対してカラーインク組成物によるカラー画像を形成する制御を行うことで、視点角度の変化による視認性の変化が大きい（セキュリティー性が高い）セキュリティー画像を記録することができる。
【０００８】
（２）また本発明に係るインクジェット記録システムにおいて、前記吐出量制御部は、前記複数の記録モードから第２モードが選択された場合に、前記第１画像領域に対して前記光輝性インク組成物による光輝性画像を形成し、前記光輝性画像に対して前記カラーインク組成物によるカラー画像を形成する制御を行うことで、前記入力画像に応じた非セキュリティー画像を前記記録媒体に記録する制御を行い、前記第１モードにおける前記第１画像領域での前記カラーインク組成物の単位面積当たりの吐出量は、前記第２モードにおける前記第１画像領域での前記カラーインク組成物の単位面積当たりの吐出量よりも多くてもよい。
【０００９】
このようなインクジェット記録システムでは、第１モードでセキュリティー画像を記録する場合には、カラーインク組成物の吐出量を多くすることで、光輝性画像のメタリック感をカラー画像の散乱によって無くすことができ、これにより、視点角度の変化による視認性の変化が大きいセキュリティー画像を記録することができる。また、第２モードで非セキュリティー画像を記録する場合に、カラーインク組成物の吐出量を減らしてカラー画像による散乱を抑えることで、メタルカラー感の高い非セキュリティー画像を記録することができる。
【００１０】
（３）また本発明に係るインクジェット記録システムにおいて、前記第１画像領域又は前記第２画像領域は、前記入力画像における文字、バーコード又は図形に対応する領域であってもよい。
【００１１】
（４）また本発明に係るインクジェット記録システムにおいて、前記吐出量制御部は、前記第１画像領域における前記光輝性画像と前記カラー画像との間に、色材を実質的に含有しないクリアインク組成物によるクリア画像を形成する制御を行ってもよい。
【００１２】
このようなインクジェット記録システムでは、第１領域における光輝性画像とカラー画像との間にクリアインク組成物によるクリア画像を形成することで、カラーインク組成物の吐出量を減らしても、視点角度の変化による視認性の変化が大きいセキュリティー画像を記録することができる。また、クリアインク組成物によるクリア画像を形成することで、耐擦性を向上することができる。
【００１３】
（５）また本発明に係るインクジェット記録システムにおいて、前記吐出量制御部は、前記複数の記録モードから第３モードが選択された場合に、前記第１画像領域に対して前記光輝性画像を形成し、前記光輝性画像に対して色材を実質的に含有しないクリアインク組成物によるクリア画像を形成し、前記クリア画像に対して前記カラー画像を形成し、前記第２画像領域に対して前記カラー画像を形成する制御を行うことで、前記入力画像に応じたセキュリティー画像を前記記録媒体に記録する制御を行い、前記第３モードにおける前記第１画像領域での前記カラーインク組成物の単位面積当たりの吐出量は、前記第１モードにおける前記第１画像領域での前記カラーインク組成物の単位面積当たりの吐出量よりも少なくてもよい。
【００１４】
このようなインクジェット記録システムでは、第３モードが選択された場合に、第１領域における光輝性画像とカラー画像との間にクリアインク組成物によるクリア画像を形成してセキュリティー画像を記録することで、カラーインク組成物の吐出量を減らしても、視点角度の変化による視認性の変化が大きいセキュリティー画像を記録することができる。また、クリアインク組成物によるクリア画像を形成することで、耐擦性を向上することができる。
【００１５】
（６）また本発明に係るインクジェット記録システムにおいて、前記制御部は、前記入力画像に応じたセキュリティー画像のセキュリティー性が低いと判断した場合に、ユーザーに対して警告を告知する処理を行ってもよい。
【００１６】
このようなインクジェット記録システムでは、セキュリティー性が低い（視点角度の変化による視認性の変化が小さい）セキュリティー画像が記録されてしまうことを防止することができる。
【００１７】
（７）また本発明に係るインクジェット記録システムにおいて、前記制御部は、前記入力画像に応じたセキュリティー画像のセキュリティー性が低いと判断した場合に、前記第１モードにおける前記カラー画像の色を変更する制御を行ってもよい。
【００１８】
このようなインクジェット記録システムでは、視点角度の変化による視認性の変化が大きいセキュリティー画像を記録することができる。
【００１９】
（８）また本発明に係るインクジェット記録システムにおいて、前記制御部は、前記第１画像領域に形成される画像のＬ値と前記第２画像領域に形成される画像のＬ値が近づくように、前記カラー画像の色を変更する制御を行ってもよい。
【００２０】
このようなインクジェット記録システムでは、視点角度の変化による視認性の変化が大きいセキュリティー画像を記録することができる。
【００２１】
（９）また本発明に係るインクジェット記録システムにおいて、前記制御部は、前記入力画像に応じたセキュリティー画像のセキュリティー性が低いと判断した場合に、前記第１モードにおける前記第１画像領域及び前記第２画像領域の少なくとも一方の面積を変更する制御を行ってもよい。
【００２２】
このようなインクジェット記録システムでは、視点角度の変化による視認性の変化が大きいセキュリティー画像を記録することができる。
【００２３】
（１０）また本発明に係るインクジェット記録システムにおいて、前記第１モードにおいて前記第１画像領域に吐出される前記光輝性インク組成物中の単位面積当たりの前記光輝性顔料の重量は、０．００８ｍｇ／ｉｎｃｈ２以上３２．３ｍｇ／ｉｎｃｈ２以下であってもよい。
【００２４】
このようなインクジェット記録システムでは、視点角度の変化による視認性の変化が大きいセキュリティー画像を記録することができる。
【００２５】
（１１）また本発明に係るインクジェット記録システムにおいて、前記第１モードにおいて前記第１画像領域に吐出される前記カラーインク組成物中の単位面積当たりの色材重量Ａと、前記第１モードにおいて前記第２画像領域に吐出される前記カラーインク組成物中の単位面積当たりの色材重量Ｂと、前記第１モードにおいて前記第１画像領域に吐出される前記光輝性インク組成物中の単位面積当たりの光輝性顔料の重量Ｃとは、以下の関係であってもよい。
【００２６】
０．３≧Ｃ／（Ａ＋Ｃ）≧０．０４５  且つ、
０．３≧Ｃ／（Ｂ＋Ｃ）≧０．０４５  且つ、
１．１≧Ａ／Ｂ≧０．９
このようなインクジェット記録システムでは、光輝性画像のメタリック感をカラー画像の散乱によって無くすことができ、これにより、視点角度の変化による視認性の変化が大きいセキュリティー画像を記録することができる。
【００２７】
（１２）また本発明に係るインクジェット記録システムにおいて、前記制御部は、セキュリティー画像作成用画面を表示部に表示させ、前記セキュリティー画像作成用において作成されたセキュリティー画像の記録データを前記インクジェット記録装置に出力してもよい。
【００２８】
（１３）また本発明に係るインクジェット記録システムにおいて、前記制御部は、前記セキュリティー画像作成用画面においてセキュリティーパターン画像が入力された場合に、前記セキュリティーパターン画像におけるセキュリティーパターンの周辺にカラー画像の記録データを配置してセキュリティー画像の記録データを生成してもよい。
【００２９】
このようなインクジェット記録システムでは、入力されたセキュリティーパターン画像におけるセキュリティーパターンの周辺にカラー画像の記録データを自動的に配置してセキュリティー画像の記録データを作成することで、ユーザーが簡単にセキュリティー画像を作成することができる。
【図面の簡単な説明】
【００３０】
【図１】本実施形態のインクジェット記録システムの構成を示す機能ブロック図である。
【図２】インクジェット記録装置を模式的に示す図である。
【図３】本実施形態のインクジェット記録システムにより記録されるセキュリティー画像について説明する図である。
【図４】セキュリティー画像を観察する視点の角度について説明するための図である。
【図５】本実施形態のインクジェット記録システムにより記録される非セキュリティー画像について説明する図である。
【図６】本実施形態のインクジェット記録システムにより記録されるセキュリティー画像について説明する図である。
【図７】本実施形態のインクジェット記録システムにおける処理の流れを示すフローチャートである。
【発明を実施するための形態】
【００３１】
１．構成
図１は、本実施形態のインクジェット記録システムの機能ブロック図である。
【００３２】
インクジェット記録システム１は、インクジェット記録装置１０（インクジェットプリンター）と、処理部１００（本発明の制御部の一例）と、操作部１１０と、表示部１２０と、記憶部１３０を含む。なお、処理部１００とインクジェット記録装置１０を一体化して、インクジェット記録装置１０に備わる制御部が、処理部１００の機能を実行するように構成してもよい。
【００３３】
インクジェット記録装置１０は、光輝性顔料を含む光輝性インク（メタリックインク）組成物と、光輝性顔料よりも可視光吸収量が多い顔料を含むカラーインク組成物と、記録媒体に対して光輝性インク組成物とカラーインク組成物とを吐出する吐出ヘッドとを備える。また、インクジェット記録装置１０が、色材を実質的に含有しないクリアインク組成物を更に備え、吐出ヘッドが、光輝性インク組成物とカラーインク組成物に加えてクリアインク組成物を吐出するように構成してもよい。
【００３４】
操作部１１０は、ユーザーが操作情報を入力するためのものであり、入力された操作情報を処理部１００に出力する。操作部１１０の機能は、キーボード、マウス、ボタン、タッチパネルなどのハードウェアにより実現することができる。
【００３５】
表示部１２０は、処理部１００によって生成された画像を表示するものであり、その機能は、ＬＣＤ、ＣＲＴなどにより実現できる。
【００３６】
記憶部１３０は、処理部１００の各部としてコンピュータを機能させるためのプログラムや各種データを記憶するとともに、処理部１００のワーク領域として機能し、その機能はハードディスク、ＲＡＭなどにより実現できる。
【００３７】
処理部１００は、インクジェット記録装置１０と信号ケーブルやネットワークを介して接続され、インクジェット記録装置１０を制御する処理を行う。また、処理部１００は、入力画像（例えば、アプリケーションプログラムから出力された画像データ）を印刷データに変換する処理を行い、印刷データや制御信号をインクジェット記録装置１０に出力することで、インクジェット記録装置１０に画像（入力画像に応じたセキュリティー画像又は非セキュリティー画像）を印刷させる制御を行う。処理部１００は、モード選択部１０２と、吐出量制御部１０４とを含む。
【００３８】
モード選択部１０２は、光輝性インク組成物の吐出量及びカラーインク組成物の吐出量の少なくとも一方が異なる複数の記録モードから１つの記録モードを選択する。また、モード選択部１０２は、操作部１１０からの操作情報に基づき記録モードを選択してもよいし、入力画像に基づき（例えば、入力画像がセキュリティー画像であるか否かを判断して）記録モードを選択してもよい。複数の記録モードには、セキュリティー画像を印刷（記録媒体に記録）するための第１モード（及び第３モード）と、非セキュリティー画像を印刷するための第２モードがある。
【００３９】
吐出量制御部１０４は、入力画像とモード選択部１０２で選択された記録モードとに基づいて、吐出ヘッドから吐出される光輝性インク組成物の吐出量と、吐出ヘッドから吐出されるカラーインク組成物の吐出量とを制御して、インクジェット記録装置１０に、入力画像に応じたセキュリティー画像又は非セキュリティー画像を印刷させる制御を行う。
【００４０】
吐出量制御部１０４は、セキュリティー画像を印刷する第１モードが選択された場合に、記録媒体上の第１画像領域に対して光輝性インク組成物による光輝性画像を形成し、光輝性画像に対してカラーインク組成物によるカラー画像を形成し、第１画像領域に接する第２画像領域に対してカラーインク組成物によるカラー画像を形成する制御を行う。ここで、第１画像領域とは、入力画像における文字、バーコード、図形等（情報画像）に対応する領域であり、第２画像領域とは、入力画像における文字の背景（背景画像）に対応する領域である。なお、第１画像領域を入力画像における背景画像に対応する領域とし、第２画像領域を入力画像における情報画像に対応する領域としてもよい。
【００４１】
また、吐出量制御部１０４は、第１モードにおいて第１画像領域に吐出される光輝性インク組成物中の単位面積当たりの光輝性顔料の重量が、０．００８ｍｇ／ｉｎｃｈ２以上３２．３ｍｇ／ｉｎｃｈ２以下（望ましくは、０．０２ｍｇ／ｉｎｃｈ２以上１２．５ｍｇ／ｉｎｃｈ２）となるように、光輝性インク組成物の吐出量を制御する。また、吐出量制御部１０４は、第１モードにおいて第１画像領域に吐出されるカラーインク組成物中の単位面積当たりの色材重量Ａと、第１モードにおいて第２画像領域に吐出されるカラーインク組成物中の単位面積当たりの色材重量Ｂと、第１モードにおいて第１画像領域に吐出される光輝性インク組成物中の単位面積当たりの光輝性顔料の重量Ｃとが、次の関係、０．３≧Ｃ／（Ａ＋Ｃ）≧０．０４５、且つ、０．３≧Ｃ／（Ｂ＋Ｃ）≧０．０４５、且つ、１．１≧Ａ／Ｂ≧０．９を満たすように、カラーインク組成物及び光輝性インク組成物の吐出量を制御することが望ましい。
【００４２】
また、吐出量制御部１０４は、非セキュリティー画像を印刷する第２モードが選択された場合に、第１画像領域に対して光輝性インク組成物による光輝性画像を形成し、光輝性画像に対してカラーインク組成物によるカラー画像を形成する制御を行う。第２モードでは、第２画像領域に対する画像の形成は行われない。ここで、吐出量制御部１０４は、第１モードにおける第１画像領域でのカラーインク組成物の単位面積当たりの吐出量が、第２モードにおける第１画像領域でのカラーインク組成物の単位面積当たりの吐出量よりも多くなるように、カラーインク組成物の吐出量を制御することが望ましい。
【００４３】
また、吐出量制御部１０４は、第１モード（及び第２モード）が選択された場合に、第１画像領域における光輝性画像とカラー画像との間に、クリアインク組成物によるクリア画像を形成する制御を行ってもよい。
【００４４】
また、吐出量制御部１０４は、セキュリティー画像を印刷する第３モードが選択された場合に、第１画像領域に対して光輝性画像を形成し、光輝性画像に対してクリアインク組成物によるクリア画像を形成し、クリア画像に対してカラー画像を形成し、第２画像領域に対してカラー画像を形成する制御を行ってもよい。ここで、吐出量制御部１０４は、第３モードにおける第１画像領域でのカラーインク組成物の単位面積当たりの吐出量が、第１モードにおける第１画像領域でのカラーインク組成物の単位面積当たりの吐出量よりも少なくなるように、カラーインク組成物の吐出量を制御してもよい。
【００４５】
また、処理部１００は、入力画像に応じたセキュリティー画像のセキュリティー性が低い（視点角度の変化による視認性の変化が小さい）と判断した場合に、ユーザーに対してその旨の警告を告知する処理（告知内容を示す画像を表示部１２０に出力する処理、告知内容を示す音声をスピーカーに出力する処理）を行ってもよい。例えば、入力画像における文字等の色調（色の濃度）が所定の条件を満たさない場合に、当該入力画像に応じたセキュリティー画像のセキュリティー性が低いと判断してもよい。
【００４６】
また、処理部１００は、入力画像に応じたセキュリティー画像のセキュリティー性が低いと判断した場合に、第１モード（及び第３モード）におけるカラー画像の色を変更する制御を行ってもよい。例えば、処理部１００は、第１画像領域に形成される画像のＬ値（明度）と第２画像領域に形成される画像のＬ値が近づくように、カラー画像の色を変更する制御を行ってもよい。また、処理部１００は、入力画像に応じたセキュリティー画像のセキュリティー性が低いと判断した場合に、第１モードにおける第１画像領域及び第２画像領域の少なくとも一方の面積を変更する制御を行ってもよい。例えば、入力画像における文字等の大きさが所定値以下である場合に、当該入力画像に応じたセキュリティー画像のセキュリティー性が低いと判断して、第１モードにおける第１画像領域及び第２画像領域の面積を大きくしてもよい。
【００４７】
また、処理部１００は、セキュリティー画像を作成するためのセキュリティー画像作成用画面を表示部１２０に表示させ、セキュリティー画像作成用画面において作成されたセキュリティー画像の記録データ（印刷データ）をインクジェット記録装置１０に出力してもよい。ここで、処理部１００は、セキュリティー画像作成用画面においてセキュリティーパターン画像（入力画像）が入力された場合に、セキュリティーパターン画像におけるセキュリティーパターン（入力画像における文字、バーコード、図形等）の周辺にカラー画像の記録データ（第２画像領域にカラー画像を形成するためのデータ）を配置してセキュリティー画像の記録データを生成してもよい。
【００４８】
図２は、インクジェット記録装置１０を模式的に示す図である。
【００４９】
インクジェット記録装置１０は、略箱形の外観形状をしており、前面のほぼ中央には前面カバー１１が設けられ、その隣には複数の操作ボタン１５が設けられている。前面カバー１１は下端側で軸支されており、上端側を手前に倒すと、記録用紙２（記録媒体）が排出される細長い排紙口１２が現れる。また、インクジェット記録装置１０の背面側には給紙トレイ１３が設けられている。給紙トレイ１３に記録用紙をセットして操作ボタン１５を操作すると、給紙トレイ１３から記録用紙２が吸い込まれて、内部で記録用紙２の表面に画像が記録された後、排紙口１２から記録用紙２が排出されるようになっている。
【００５０】
また、インクジェット記録装置１０の上面側には上面カバー１４が設けられている。上面カバー１４は、奥側で軸支されており、手前側を持ち上げて上面カバー１４を開くと、インクジェット記録装置１０の内部の状態を確認したり、あるいはインクジェット記録装置１０の修理などを行ったりすることが可能となっている。
【００５１】
インクジェット記録装置１０の内部には、主走査方向に往復動しながら記録用紙２上にインクドットを形成するキャリッジ２０と、キャリッジ２０を往復動させる駆動機構３０などが搭載されている。キャリッジ２０には、記録用紙２に向かってインクを吐出する複数の吐出ノズルが形成された記録ヘッド２２（吐出ヘッド）や、吐出するインクを一時的に貯留しておくサブタンクなどが設けられている。
【００５２】
記録ヘッド２２に形成された吐出ノズルから吐出するインクは、インクカートリッジ４０と呼ばれる専用容器に収容されている。インクカートリッジ４０は、キャリッジ２０とは別の位置に設けられたインク供給装置５０に装着され、インクカートリッジ４０内のインクはインク供給装置５０およびインクチューブ６０を介してキャリッジ２０に供給される。また、インク供給装置５０の隣には、インクカートリッジ４０内のインクをキャリッジ２０に供給する際に駆動する空気ポンプユニット７０が設けられている。
【００５３】
なお、図示したインクジェット記録装置１０では、光輝性インク組成物、カラーインク組成物等のインクを用いて画像を記録することが可能であり、キャリッジ２０に搭載された記録ヘッド２２には、インクの種類毎に吐出ノズルが設けられている。そして、それぞれの吐出ノズルに対して、対応するインクカートリッジ４０内のインクが、インクの種類毎に設けられたインクチューブ６０を介して供給されるようになっている。図示の例では、インクカートリッジ４２に、光輝性インク組成物が収容され、４個のインクカートリッジ４４のそれぞれに、４色（シアン、マゼンタ、イエロー、ブラック）の各色のカラーインク組成物が収容されている。また、クリアインク組成物を収容するインクカートリッジを更に設けてもよい。
【００５４】
キャリッジ２０を往復動させる駆動機構３０は、内側に複数の歯形が形成されたタイミングベルト３２と、タイミングベルト３２を駆動するための駆動モーター３４などから構成されている。タイミングベルト３２の一部はキャリッジ２０に固定されており、タイミングベルト３２を駆動すると、主走査方向に延設された図示しないガイドレールによってガイドしながら、キャリッジ２０を主走査方向に往復動させることが可能となる。
【００５５】
また、キャリッジ２０を主走査方向に移動させた記録領域外の位置には、ホームポジションと呼ばれる領域が設けられており、ホームポジションには、正常に記録可能なようにメンテナンスを行うメンテナンス機構が搭載されている。メンテナンス機構は、記録ヘッド２２の底面側（記録用紙２に向いた側）で吐出ノズルが形成されている面（ノズル面）に押し付けられて、吐出ノズルを取り囲むように閉空間を形成するキャップ部材９０や、記録ヘッド２２のノズル面に押し付けるためにキャップ部材９０を昇降させるための図示しない昇降機構や、キャップ部材９０が記録ヘッド２２のノズル面に押し付けられることで形成される閉空間を負圧にするための図示しない吸引ポンプなどから構成されている。
【００５６】
さらに、インクジェット記録装置１０の内部には、記録用紙２を紙送りするための図示しない紙送機構や、処理部１００からの印刷データや制御信号に基づきインクジェット記録装置１０の全体の動作を制御する制御部９２なども搭載されている。キャリッジ２０を往復動させる動作や、記録用紙２を紙送りする動作や、吐出ノズルからインクを吐出する動作や、正常に記録可能なようにメンテナンス機構を駆動させる動作などは、処理部１００及び制御部９２によって制御されている。
【００５７】
２．インク
以下、本実施形態に係るインクジェット記録システムで用いられる光輝性インク組成物、カラーインク組成物及びクリアインク組成物に含まれる成分および含まれ得る成分について、インク組成物毎に説明する。
【００５８】
２−１．光輝性インク組成物
光輝性インク組成物は光輝性顔料を含有する。光輝性顔料としては、媒体に付着されたときに光輝性を呈しうるものであれば特に限定されないが、例えば、アルミニウム、銀、金、白金、ニッケル、クロ、錫、亜鉛、インジウム、チタン、および銅からなる群より選択される１種または２種以上の合金（金属顔料ともいう）等が挙げられる。
【００５９】
光輝性顔料は、水との反応を抑制するための表面処理が施されていてもよい。このように表面処理が施された光輝性顔料として、アルミニウム顔料を使用した場合を例に挙げて説明する。
【００６０】
アルミニウム顔料としては、例えば、平板状の形状を有するものが挙げられる。平板状の形状とは、例えば、鱗片状、リーフ状、板状、フィルム状等の形状である。アルミニウム顔料は、無機酸化物等によって被覆されていてもよい。被覆されることにより、インク中の気泡の発生を抑制することができる場合がある。アルミニウム顔料が平板状であると、インクが記録媒体に付着した際に良好な金属光沢性が得られやすい。
【００６１】
被覆膜によって被覆されたアルミニウム顔料の、粒子像分析装置により得られる粒子の投影画像の面積から求めた円相当径の５０％平均粒子径Ｒ５０（以下、単に「Ｒ５０」ともいう。）は、０．２５μｍ以上３μｍ以下であることが好ましく、０．５μｍ以上２μｍ以下であることがより好ましく、０．７μｍ以上１．８μｍ以下であることがさらに好ましい。平均粒子径Ｒ５０が上記範囲内あると、記録される画像の金属光沢性を保持しつつ、アルミニウム顔料の沈降を抑制できる。本実施形態において、アルミニウム顔料粒子の円相当径の最大値は、３μｍ以下であることが好ましい。最大の粒子の円相当径が３μｍ以下であれば、インクジェット記録装置に用いた際に、ノズル開口部やインク流路における目詰りを抑制することができる。また、アルミニウム顔料粒子の厚みは、５ｎｍ以上１００ｎｍ以下、好ましくは５ｎｍ以上７０ｎｍ以下、さらに好ましくは１０ｎｍ以上５０ｎｍ以下である。
【００６２】
アルミニウム顔料が被覆膜を有する場合の被覆膜の材質としては、例えば、アルコキシシラン（例えば、テトラエトキシシラン（ＴＥＯＳ））、ポリシラザン、またはこれらの化合物から誘導される化合物、フッ素系材料、リン系材料、リン酸系材料を含むものが好ましい。
【００６３】
また、アルミニウム顔料は、分散液の状態で供給されてもよい。アルミニウム顔料の分散液に含まれる成分としては、水、有機溶媒、塩基性触媒、界面活性剤、第三級アミン、緩衝液などが挙げられ、適宜に配合され得る。
【００６４】
光輝性インク組成物は、溶媒として水および有機溶剤（後述）の少なくとも一方を含有することができる。光輝性インク組成物が溶媒として水を含有する場合には、いわゆる水系インクとして用いられる。一方、光輝性インク組成物が実質的に水を含有しない場合には、いわゆる非水系インクとして用いられる。
【００６５】
光輝性インク組成物が水を含有する場合には、イオン交換水、限外濾過水、逆浸透水、及び蒸留水等の純水、並びに超純水のような、イオン性不純物を極力除去したものを用いることが好ましい。また、紫外線照射又は過酸化水素の添加などによって滅菌した水を用いると、顔料分散液及びこれを用いたインクを長期保存する場合にカビやバクテリアの発生を防止することができる。光輝性インク組成物が水系インクである場合には、例えば水の含有量を、光輝性インク組成物の全質量に対して、５０質量％以上とすることができる。
【００６６】
光輝性インク組成物は、有機溶剤を含有してもよい。光輝性インク組成物には、複数種の有機溶剤が含有されていてもよい。有機溶剤としては、特に限定されないが、例えば１，２−アルカンジオール類、多価アルコール類、ピロリドン誘導体、ラクトン、グリコールエーテル類等が挙げられる。
【００６７】
１，２−アルカンジオール類としては、例えば、１，２−プロパンジオール、１，２−ブタンジオール、１，２−ペンタンジオール、１，２−ヘキサンジオール、１，２−オクタンジオール等が挙げられる。１，２−アルカンジオール類は、記録媒体に対するインクの濡れ性を高めて均一に濡らす作用に優れているため、記録媒体上に密着性に優れた画像を形成することができる場合がある。１，２−アルカンジオール類を含有する場合には、その含有量が、光輝性インク組成物の全質量に対して、１質量％以上２０質量％以下とすることができる。
【００６８】
多価アルコール類としては、例えば、エチレングリコール、ジエチレングリコール、プロピレングリコール、ジプロピレングリコール、１，３−プロパンジオール、１，４−ブタンジオール、１，６−ヘキサンジオール、トリメチロールプロパン、グリセリン等が挙げられる。多価アルコール類は、インクジェット記録装置の記録ヘッドのノズル面において、インクの乾燥固化を抑制して目詰まりや吐出不良等を低減できるという観点から好ましく用いることができる。多価アルコール類を含有する場合には、光輝性インク組成物の全質量に対して、２質量％以上２０質量％以下とすることができる。
【００６９】
ピロリドン誘導体としては、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体は、樹脂成分の良好な溶解剤として作用することができる。ピロリドン誘導体を含有する場合には、その含有量が、光輝性インク組成物の全質量に対して、０．５質量％以上１０質量％以下とすることができる。
【００７０】
本発明において「ラクトン」とは、環内にエステル基（−ＣＯ−Ｏ−）を有する環状化合物の総称をいう。ラクトンとしては、上記定義に含まれるものであれば特に制限されないが、炭素数２以上９以下のラクトンであることが好ましい。このようなラクトンの具体例としては、α−エチルラクトン、α−アセトラクトン、β−プロピオラクトン、γ−ブチロラクトン、δ−バレロラクトン、ε−カプロラクトン、ζ−エナンチオラクトン、η−カプリロラクトン、γ−バレロラクトン、γ−ヘプタラクトン、γ−ノナラクトン、β−メチル−δ−バレロラクトン、２−ブチル−２−エチルプロピオラクトン、α，α−ジエチルプロピオラクトン等が挙げられるが、これらの中でもγ−ブチロラクトンが特に好ましい。ラクトンは、記録媒体が塩化ビニル樹脂等のフィルムである場合に、記録媒体の内部にインクを浸透させて、密着性を高めることができる。特にラクトンは、光輝性インク組成物が非水系インクである場合に好ましく用いられ、この場合の含有量としては、光輝性インク組成物の全質量に対して、５質量％以上３０質量％以下とすることができる。
【００７１】
グリコールエーテル類としては、例えば、エチレングリコールモノイソブチルエーテル、エチレングリコールモノヘキシルエーテル、エチレングリコールモノイソヘキシルエーテル、ジエチレングリコールモノヘキシルエーテル、トリエチレングリコールモノヘキシルエーテル、ジエチレングリコールモノイソヘキシルエーテル、トリエチレングリコールモノイソヘキシルエーテル、エチレングリコールモノイソヘプチルエーテル、ジエチレングリコールモノイソヘプチルエーテル、トリエチレングリコールモノイソヘプチルエーテル、エチレングリコールモノオクチルエーテル、エチレングリコールモノイソオクチルエーテル、ジエチレングリコールモノイソオクチルエーテル、トリエチレングリコールモノイソオクチルエーテル、エチレングリコールモノ−２−エチルヘキシルエーテル、ジエチレングリコールモノ−２−エチルヘキシルエーテル、トリエチレングリコールモノ−２−エチルヘキシルエーテル、ジエチレングリコールモノ−２−エチルペンチルエーテル、エチレングリコールモノ−２−エチルペンチルエーテル、エチレングリコールモノ−２−エチルヘキシルエーテル、ジエチレングリコールモノ−２−エチルヘキシルエーテル、エチレングリコールモノ−２−メチルペンチルエーテル、ジエチレングリコールモノ−２−メチルペンチルエーテル、プロピレングリコールモノブチルエーテル、ジプロピレングリコールモノブチルエーテル、トリプロピレングリコールモノブチルエーテル、プロピレングリコールモノプロピルエーテル、ジプロピレングリコールモノプロピルエーテル、及びトリプロピレングリコールモノメチルエーテル等が挙げられる。これらは、１種単独か又は２種以上を混合して使用することができる。グリコールエーテル類は、インクの記録媒体に対する濡れ性や浸透速度を制御することできる。そのため、濃淡ムラが少ない鮮明な画像を記録することができる。
【００７２】
光輝性インク組成物を水系インクとして用いる場合に、グリコールエーテル類を含有させる際には、その含有量は、光輝性インク組成物の全質量に対して、０．０５質量％以上６質量％以下とすることができる。一方、光輝性インク組成物を非水系インクとして用いる場合には、その含有量は、光輝性インク組成物の全質量に対して、７０質量％以上９０質量％以下とすることができる。
【００７３】
光輝性インク組成物は、界面活性剤を含有してもよい。界面活性剤は、表面張力を低下させ記録媒体との濡れ性を向上させる機能を備える。界面活性剤の中でも、例えば、アセチレングリコール系界面活性剤、シリコーン系界面活性剤、およびフッ素系界面活性剤を好ましく用いることができる。
【００７４】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Air Products and Chemicals. Inc.社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業社製）、アセチレノールＥ００、Ｅ００Ｐ、Ｅ４０、Ｅ１００（以上全て商品名、川研ファインケミカル社製）が挙げられる。
【００７５】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ＢＹＫ社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業社製）が挙げられる。
【００７６】
フッ素系界面活性剤としては、フッ素変性ポリマーを用いることが好ましく、具体例としては、ＢＹＫ−３４０（ビックケミー・ジャパン社製）が挙げられる。
【００７７】
界面活性剤を含有する場合には、その含有量は、光輝性インク組成物の全質量に対して、０．１質量％以上１．５質量％以下であることが好ましい。
【００７８】
光輝性インク組成物は、必要に応じて、樹脂、増粘剤、ｐＨ調整剤、防腐剤・防かび剤、防錆剤、キレート化剤等を含有してもよい。
【００７９】
樹脂は、記録される画像の耐擦性等の物理的強度を向上させることができる。このような樹脂としては、アクリル系樹脂、スチレンアクリル系樹脂、フルオレン系樹脂、ウレタン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、エチレン酢酸ビニル系樹脂等の公知の樹脂や、ポリオレフィンワックス等が挙げられる。これらの樹脂は、１種単独または２種以上組み合わせて用いることができる。上記の例示した樹脂の中でも、スチレンアクリル系樹脂、ポリエステル系樹脂、ポリオレフィンワックスを好ましく用いることができる。
【００８０】
ポリエステル系樹脂としては、市販品を用いることができ、例えば、Ｅａｓｔｅｋ１１００、１３００、１４００（以上商品名、イーストマンケミカルジャパン社製）、エリーテルＫＡ−５０３４、ＫＡ−３５５６、ＫＡ−１４４９、ＫＴ−８８０３、ＫＡ−５０７１Ｓ、ＫＺＡ−１４４９Ｓ、ＫＴ−８７０１、ＫＴ９２０４（以上商品名、ユニチカ株式会社製）等が挙げられる。
【００８１】
スチレンアクリル系樹脂としては、例えば、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体等が挙げられる。なお、共重合体の形態としては、ランダム共重合体、ブロック共重合体、交互共重合体、グラフト共重合体のいずれの形態でも用いることができる。なお、スチレンアクリル系樹脂としては、市販されているものを利用してもよい。スチレンアクリル系樹脂の市販品としては、ジョンクリル６２Ｊ（ＢＡＳＦジャパン株式会社製）等が挙げられる。
【００８２】
ポリオレフィンワックスとしては、特に限定されるものではなく、例えばエチレン、プロピレン、ブチレン等のオレフィンまたはその誘導体から製造されたワックスおよびそのコポリマー、具体的には、ポリエチレン系ワックス、ポリプロピレン系ワックス、ポリブチレン系ワックス等が挙げられる。これらの中でも、画像のヒビ割れの発生を低減できるという観点から、ポリエチレン系ワックスが好ましい。ポリオレフィンワックスは、１種単独または２種以上組み合わせて用いることができる。
【００８３】
ポリオレフィンワックスの市販品としては、「ケミパールＷ４００５」（三井化学株式会社製、ポリエチレン系ワックス、粒径２００〜８００ｎｍ、環球法軟化点１１０℃、針入度法硬度３、固形分４０％）等のケミパールシリーズが挙げられる。その他、ＡＱＵＡＣＥＲ５１３（ポリエチレン系ワックス、粒径１００〜２００ｎｍ、融点１３０℃、固形分３０％）、ＡＱＵＡＣＥＲ５０７、ＡＱＵＡＣＥＲ５１５、ＡＱＵＡＣＥＲ８４０（以上、ビックケミー・ジャパン株式会社製）等のＡＱＵＡＣＥＲシリーズや、ハイテックＥ−７０２５Ｐ、ハイテックＥ-２２１３、ハイテックＥ-９４６０、ハイテックＥ-９０１５、ハイテックＥ−４Ａ、ハイテックＥ−５４０３Ｐ、ハイテックＥ−８２３７（以上、東邦化学株式会社製）等のハイテックシリーズ、ノプコートＰＥＭ−１７（サンノプコ社製、ポリエチレンエマルジョン、粒径４０ｎｍ）等が挙げられる。これらは、常法によりポリオレフィンワックスを水中に分散させた水系エマルジョンの形態で市販されている。
【００８４】
樹脂を含有する場合には、その含有量（固形分換算量）は、光輝性インク組成物の全質量に対して、好ましくは１質量％以上１０質量％以下であり、より好ましくは１質量％以上７質量％以下である。
【００８５】
増粘剤は、インクの粘度調整のために使用される。増粘剤としては、例えば、ポリビニルアルコール類、ポリ（メタ）アクリル酸類、ポリエーテル類、ポリビニルピロリドン類、ポリビニルホルマール類、タンパク質（例えば、ゼラチン、カゼイン、にかわ等）、多糖類（例えば、プルラン、デキストラン、デキストリン、シクロデキストリン、カラギーナン、ペクチン、グルコマンナン、アルギン酸ナトリウム、キサンタンガム、アラビヤゴム、ローカストビーンガム、トラガントガム、グアーガム、タマリンドガム等）、澱粉類（例えば、澱粉、酸化澱粉、カルボキシル澱粉、ジアルデヒド澱粉等）、セルロース又はその誘導体（例えば、メチルセルロース、エチルセルロース、カルボキシメチルセルロース、ヒドロキシエチルセルロース、ヒドロキシプロピルセルロース、ヒドロキシプロピルメチルセルロース等）、アルギン酸塩（例えば、アルギン酸ナトリウム、アルギン酸カリウム、アルギン酸アンモニウム等）アルギン酸エステル（例えば、アルギン酸プロピレングリコールエステル等）などが挙げられる。増粘剤を含有する場合には、その含有量は光輝性インク組成物の粘度に応じて適宜設定することができるが、例えば、光輝性インク組成物の全質量に対して、１質量％以上１０質量％以下とすることができる。
【００８６】
ｐＨ調整剤としては、例えば、リン酸二水素カリウム、リン酸水素二ナトリウム、水酸化ナトリウム、水酸化リチウム、水酸化カリウム、アンモニア、ジエタノールアミン、トリエタノールアミン、トリイソプロパノールアミン、炭酸カリウム、炭酸ナトリウム、炭酸水素ナトリウム等が挙げられる。
【００８７】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン等が挙げられる。市販品では、プロキセルＸＬ２、プロキセルＧＸＬ（以上商品名、アビシア社製）や、デニサイドＣＳＡ、ＮＳ−５００Ｗ（以上商品名、ナガセケムテックス株式会社製）等が挙げられる。
【００８８】
防錆剤としては、例えば、ベンゾトリアゾール等が挙げられる。
【００８９】
キレート化剤としては、例えば、エチレンジアミン四酢酸およびそれらの塩類（エチレンジアミン四酢酸二水素二ナトリウム塩等）等が挙げられる。
【００９０】
２−２．カラーインク組成物
カラーインク組成物は、記録媒体に付着させた際にブラック、シアン、マゼンタ、イエロー、ブラック等の色を呈するインクである。
【００９１】
カラーインク組成物は、染料、顔料等の色材を含有する。染料および顔料は、米国特許出願公開２０１０／００８６６９０号明細書、米国特許出願公開２００５／０２３５８７０号明細書、国際公開第２０１１／０２７８４２に記載されているもの等を好適に用いることができる。染料および顔料のうち、顔料を含むことが一層好ましい。顔料は、耐光性、耐候性、耐ガス性などの保存安定性の観点から有機顔料であることが好ましい。
【００９２】
具体的には、顔料は、不溶性アゾ顔料、縮合アゾ顔料、アゾレーキ、キレートアゾ顔料などのアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料などの多環式顔料、染料キレート、染色レーキ、ニトロ顔料、ニトロソ顔料、アニリンブラック、昼光蛍光顔料、カーボンブラックなどが用いられる。上記顔料は、１種単独でも、２種以上併用して用いることもできる。
【００９３】
また、染料としては、例えば、直接染料、酸性染料、食用染料、塩基性染料、反応性染料、分散染料、建染染料、可溶性建染染料、反応分散染料等の通常インクジェット記録に使用する各種染料を使用することができる。
【００９４】
色材の含有量は、カラーインク組成物の全質量に対して、好ましくは１質量％以上２０質量％以下であり、より好ましくは１質量％以上１５質量％以下である。
【００９５】
カラーインク組成物は、溶媒として水および有機溶剤の少なくとも一方を含有することができる。カラーインク組成物が溶媒として水を含有する場合には、いわゆる水系インクとして用いられる。一方、カラーインク組成物が実質的に水を含有しない場合には、いわゆる非水系インクとして用いられる。
【００９６】
水を含有する場合には、イオン交換水、限外濾過水、逆浸透水、及び蒸留水等の純水、並びに超純水のような、イオン性不純物を極力除去したものを用いることが好ましい。また、紫外線照射又は過酸化水素の添加などによって滅菌した水を用いると、顔料分散液及びこれを用いたインクを長期保存する場合にカビやバクテリアの発生を防止することができる。
【００９７】
カラーインク組成物が水系インクである場合には、例えば水の含有量を、カラーインク組成物の全質量に対して、５０質量％以上とすることができる。
【００９８】
カラーインク組成物は、必要に応じて、有機溶媒、界面活性剤、樹脂、ｐＨ調整剤、防腐剤・防かび剤、防錆剤、キレート化剤等を含有してもよい。これらの成分の具体例、およびこれら含有する際の添加量の範囲は、光輝性インク組成物で示したものと同様であるので、その記載を省略する。
【００９９】
２−３．クリアインク組成物
クリアインク組成物は、実質的に色材を含まない、透明性を有するインクである。なお、本発明において、「Ａを実質的に含まない」とは、Ａを添加する意義を十分に達成する量を超えて添加しない程度の意味である。「実質的に含まない」の具体例としては、たとえば１．０質量％以上含まない、好ましくは０．５質量％以上含まない、より好ましくは０．１質量％以上含まない、さらに好ましくは０．０５質量％以上含まない、特に好ましくは０．０１質量％以上含まない、一層好ましくは０．００１質量％以上含まないことである。
【０１００】
クリアインク組成物は、樹脂を含有することが好ましい。クリアインク組成物に含まれる樹脂としては、例えばウレタン系樹脂、エステル系樹脂、フルオレン系樹脂、アクリル系樹脂、ポリオレフィン系樹脂、ロジン変性樹脂、テルペン系樹脂、ポリアミド系樹脂、エポキシ系樹脂、塩化ビニル系樹脂、塩化ビニル−酢酸ビニル共重合体、エチレン酢酸ビニル系樹脂等の樹脂や、ポリオレフィンワックス等が挙げられる。これらの中でも、ウレタン系樹脂、エステル系樹脂、フルオレン系樹脂、アクリル系樹脂が好ましい。
【０１０１】
ウレタン系樹脂は、ポリイソシアネートとポリオールとを反応させて合成されるポリマーである。ウレタン系樹脂の合成は、公知の方法で実施できる。
【０１０２】
ポリイソシアネートとしては、例えばテトラメチレンジイソシアネート、１，６−ヘキサメチレンジイソシアネート、ドデカメチレンジイソシアネート、トリメチルヘキサメチレンジイソシアネート、リジンジイソシアネート等の鎖状の脂肪族イソシアネート；１，３−シクロヘキシレンジイソシアネート、１，４−シクロヘキシレンジイソシアネート、水素添加キシリレンジイソシアネート、イソホロンジイソシアネート、４，４’−ジシクロヘキシルメタンジイソシアネート、３，３’−ジメチル−４，４’−ジシクロヘキシルメタンジイソシアネート等の環状構造を有する脂肪族イソシアネート；２，４−トリレンジイソシアネート、２，６−トリレンジイソシアネート、ｍ−フェニレンジイソシアネート、ｐ−フェニレンジイソシアネート、４，４’−ジフェニルメタンジイソシアネート、２，４’−ジフェニルメタンジイソシアネート、２，２’−ジフェニルメタンジイソシアネート、３，３’−ジメチル−４，４’−ビフェニレンジイソシアネート、３，３’−ジメトキシ−４，４’−ビフェニレンジイソシアネート、３，３’−ジクロロ−４，４’−ビフェニレンジイソシアネート、１，５−ナフタレンジイソシアネート、１，５−テトラヒドロナフタレンジイソシアネート、キシリレンジイソシアネート、テトラメチルキシリレンジイソシアネート等の芳香族イソシアネートが挙げられる。ウレタン系樹脂を合成する際には、上記のポリイソシアネートは、１種単独で用いてもよく、２種以上を組み合わせて用いてもよい。
【０１０３】
ポリオールとしては、ポリエーテルポリオールおよびポリカーボネートポリオール等を挙げることができる。
【０１０４】
ポリエーテルポリオールとしては、ポリエチレングリコール、ポリプロピレングリコール、およびポリテトラメチレングリコール等が挙げられる。
【０１０５】
ポリカーボネートポリオールとしては、例えば１，３−プロパンジオール、１，４−ブタンジオール、１，６−ヘキサンジオール、ジエチレングリコール、ポリエチレングリコール、ポリプロピレングリコール、あるいは、ポリテトラメチレングリコール等のようなジオール類と、ホスゲン、ジメチルカーボネート等のジアルキルカーボネート、あるいは、エチレンカーボネート等の環式カーボネートとの反応生成物等が挙げられる。
【０１０６】
ウレタン系樹脂を合成する際には、上記のポリオールは、１種単独で用いてもよいし、２種以上を併用してもよい。
【０１０７】
ウレタン系樹脂としては、ガラス転移温度（Ｔｇ）が、−７０℃以上８０℃以下であるポリマーを用いることが好ましく、−２０℃以上８０℃以下であるポリマーを用いることがより好ましく、０℃以上７０℃以下のポリマーを用いることが特に好ましい。ウレタン系樹脂のガラス転移温度が上記範囲内、とりわけ下限を下回らずにあることで、べた付きの少ないクリア画像を形成できる。また、ウレタン系樹脂のガラス転移温度が上記範囲内、とりわけ上限を超えずにあることで、クリア画像が皮膜化しやすくなるので、画像の光輝性が一層低下しにくくなる。
【０１０８】
上記ウレタン系樹脂は、クリアインク組成物中に含まれる溶媒に溶解した状態で存在する溶液タイプであるものや、クリアインク組成物中でウレタン系樹脂が粒子状となって分散したエマルションタイプであるものを用いることができる。これらの中でも、ウレタン系樹脂は、エマルションタイプであることが好ましい。エマルションタイプのウレタン系樹脂は、粒子状であるために、溶液タイプのウレタン樹脂と比較して、光輝性画像内に浸透しにくくなる。そのため、画像中の光輝性顔料は、ウレタン系樹脂に配列を乱されることが少なくなり、光輝性に優れた画像が得られやすい。
【０１０９】
エマルションタイプの樹脂は、樹脂中に親水基等を導入して当該樹脂を分散させた自己乳化型と、界面活性剤等の乳化剤を用いて樹脂を分散させた強制乳化型と、に分類できる。これらの中でも、エマルションタイプのウレタン系樹脂は、当該ウレタン系樹脂に親水基が導入された自己乳化型であることが好ましい。自己乳化型のエマルションタイプのウレタン系樹脂は、強制乳化型のものに比べて、耐水性を一層高めることができる。
【０１１０】
自己乳化型のエマルションタイプのウレタン系樹脂としては、例えばカルボキシル基の塩（例えば、カルボキシラート塩）構造を備えるウレタン樹脂や、カルボキシル基を有するウレタン樹脂、カーボネート骨格を有するウレタン樹脂、スルホン基を有するウレタン樹脂が挙げられる。
【０１１１】
また、自己乳化型のエマルションタイプのウレタン系樹脂としては、市販品を使用することができ、例えばＳＦ２１０（商品名、第一工業製薬株式会社製）、ＷＢＲ−２０１８（商品名、大成ファインケミカル株式会社製）等が挙げられる。
【０１１２】
ウレタン系樹脂をエマルション状態で用いる場合において、ウレタン系樹脂の平均粒子径は、１０ｎｍ以上１３５ｎｍ以下であることが好ましく、１０ｎｍ以上１１０ｎｍ以下であることがより好ましく、２０ｎｍ以上８０ｎｍ以下であることが特に好ましい。ウレタン系樹脂の平均粒子径が上記範囲内、とりわけ下限値を下回らずにあることで、ウレタン系樹脂が光輝性画像内部に入り込んだり、光輝性画像内部を通過して記録媒体に接したりすることを低減できるので、光輝性画像を一層良好に被覆できる。また、ウレタン系樹脂の平均粒子径が上記範囲内、とりわけ上限を超えずにあることで、樹脂により形成される皮膜が平坦となり、散乱光の発生を低減できるので、画像の光輝性が一層低下しにくくなる。
【０１１３】
エステル系樹脂は、ポリオールとポリカルボン酸とを重縮合させて得られるポリマーである。エステル系樹脂は、公知の方法で合成できる。
【０１１４】
ポリオールとしては、例えばエチレングリコール、ジエチレングリコール、１，３−プロパンジオール、１，４−ブタンジオール、１，４−シクロヘキサンジメタノール、トリメチロールプロパン、ペンタエリスリトール等が挙げられる。エステル系樹脂を合成する際には、上記のポリオールは、１種単独で用いてもよく、２種以上を組み合わせて用いてもよい。
【０１１５】
ポリカルボン酸としては、例えばシュウ酸、コハク酸、酒石酸、リンゴ酸、クエン酸、フタル酸、イソフタル酸、テレフタル酸、２，６−ナフタレンジカルボン酸、アジピン酸等が挙げられる。エステル系樹脂を合成する際には、上記のポリカルボン酸は、１種単独で用いてもよく、２種以上を組み合わせて用いてもよい。
【０１１６】
エステル系樹脂のガラス転移温度（Ｔｇ）は、−７０℃以上８０℃以下であることが好ましく、−２０℃以上８０℃以下であることがより好ましく、０℃以上７０℃以下であることが特に好ましい。エステル系樹脂のガラス転移温度が上記範囲内にあることが好ましい理由は、上述したウレタン系樹脂と同様である。
【０１１７】
エステル系樹脂は、クリアインク組成物中に含まれる溶媒に溶解した状態で存在する溶液タイプであるものや、クリアインク組成物中でエステル系樹脂が粒子状となって分散したエマルションタイプであるものを用いることができる。これらの中でも、エステル系樹脂は、エマルションタイプであることが好ましい。エマルションタイプのエステル系樹脂が好ましい理由は、上述したウレタン系樹脂と同様である。
【０１１８】
エマルションタイプのエステル系樹脂は、強制乳化型、自己乳化型のいずれのタイプも用いることができるが、上記のウレタン系樹脂と同様の理由から、自己乳化型であることが好ましい。
【０１１９】
自己乳化型のエマルションタイプのエステル系樹脂としては、市販品を用いることができ、例えばＥａｓｔｅｋ  １１００、１３００（以上、商品名、イーストマンケミカルジャパン社製）、エリーテル  ＫＺＡ−１４４９、ＫＺＡ−３５５６（以上、商品名、ユニチカ株式会社製）等が挙げられる。
【０１２０】
エステル系樹脂をエマルション状態で用いる場合において、エステル系樹脂の平均粒子径は、１０ｎｍ以上１３５ｎｍ以下であることが好ましく、１０ｎｍ以上１１０ｎｍ以下であることがより好ましく、２０ｎｍ以上８０ｎｍ以下であることが特に好ましい。エステル系樹脂の平均粒子径が上記範囲内であることが好ましい理由は、上述したウレタン系樹脂と同様である。
【０１２１】
フルオレン系樹脂は、フルオレン骨格を含有する第１のジオールおよび親水性基を有する第２のジオールを含むポリオール成分と、ポリイソシアネート化合物を含むポリイソシアネート成分と、を反応させることにより得ることができる。フルオレン系樹脂は、画像の光輝性を保持しつつ、耐擦性を向上させる機能に加えて、画像の耐光性および耐ガス性を向上できる点で好適である。
【０１２２】
フルオレン骨格を含有する第１のジオールとしては、例えば９，９−ビス（４−（ヒドロキシメトキシ）フェニル）フルオレン、９，９−ビス（４−（２−ヒドロキシエトキシ）フェニル）フルオレン、９，９−ビス（４−（３−ヒドロキシプロポキシ）フェニル）フルオレン、９，９−ビス（４−（４−ヒドロキシブトキシ）フェニル）フルオレン、９，９−ビス（４−ヒドロキシフェニル）フルオレン、９，９−ビス（４−ヒドロキシトルイル）フルオレン、９，９−ビス（ヒドロキシアルキル）フルオレン等が挙げられる。なお、前記第１のジオールとしては、市販品を用いてもよく、例えばビスフェノキシエタノールフルオレン、ビスフェノールフルオレン、ビスクレゾールフルオレン（以上、商品名、大阪ガスケミカル株式会社製）等が挙げられる。
【０１２３】
これらフルオレン骨格を含有する第１のジオールは、１種単独または２種以上を併用してもよく、好ましくは９，９−ビス（４−（２−ヒドロキシエトキシ）フェニル）フルオレンが挙げられる。
【０１２４】
また、フルオレン骨格を含有する第１のジオールは、フルオレン系樹脂に対して、例えば４０〜６０質量％の割合で配合することができる。フルオレン骨格を含有する第１のジオールの含有量が、上記の範囲であることで、耐擦性および透明性が良好となる。
【０１２５】
第２のジオールは、親水性基を有することができる。親水性基としては、例えばポリオキシエチレン基などのノニオン性基や、カルボキシル基、スルホニル基、リン酸基およびスルホベタイン基などのイオン性基などが挙げられる。
【０１２６】
カルボキシル基を有する第２のジオールの具体例としては、２，２−ジメチロール酢酸、２，２−ジメチロール乳酸、２，２−ジメチロールプロピオン酸（２，２−ビス（ヒドロキシメチル）プロピオン酸）、２，２−ジメチロールブタン酸、２，２−ジメチロール酪酸、２，２−ジメチロール吉草酸などのジヒドロキシルカルボン酸；リジン、アルギニンなどのジアミノカルボン酸などが挙げられる。
【０１２７】
また、スルホニル基を有する第２のジオールの具体例としては、Ｎ，Ｎ−ビス（２−ヒドロキシエチル）−２−アミノエタンスルホン酸、１，３−フェニレンジアミン−４，６−ジスルホン酸、ジアミノブタンスルホン酸、３，６−ジアミノ−２−トルエンスルホン酸、２，４−ジアミノ−５−トルエンスルホン酸などが挙げられる。
【０１２８】
また、リン酸基を有する第２のジオールの具体例としては、２，３−ジヒドロキシプロピルフェニルホスフェートなどが挙げられる。
【０１２９】
また、ベタイン構造含有基を有する第２のジオールの具体例としては、Ｎ−メチルジエタノールアミンなどの３級アミンと１，３−プロパンスルトンとの反応によって得られるスルホベタイン基含有化合物などが挙げられる。
【０１３０】
さらに、第２のジオールとして、第２のジオールに、エチレンオキサイドやプロピレンオキサイドなどのアルキレンオキサイドが付加されているアルキレンオキサイド変性体を挙げることもできる。
【０１３１】
これら第２のジオールは、１種単独または２種以上を併用してもよく、好ましくは、カルボキシル基を有する第２のジオールが挙げられ、例えば２，２−ジメチロールプロピオン酸が挙げられる。
【０１３２】
親水性基を有する第１のジオールは、フルオレン系樹脂に対して、例えば５〜１５質量％の割合で配合することができる。フルオレン骨格を含有する第１のジオールの含有量が、上記範囲内にあると、耐擦性および透明性が良好となる。
【０１３３】
第２のジオールは、フルオレン系樹脂の酸価が、１０〜１３０ＫＯＨｍｇ／ｇ、好ましくは２０〜６０ＫＯＨｍｇ／ｇとなるように配合することができる。
【０１３４】
また、フルオレン系樹脂は、必要に応じて、ポリオール化合物を含ませることもできる。ポリオール化合物は、２つ以上の水酸基を有する化合物であって、低分子量ポリオールおよび高分子量ポリオールが挙げられる。
【０１３５】
ポリイソシアネート化合物は、２つ以上のイソシアネート基を有する化合物、好ましくは２つのイソシアネート基を有する化合物であって、例えば脂肪族ポリイソシアネート、脂環族ポリイソシアネート、芳香脂肪族ポリイソシアネート、芳香族ポリイソシアネートなどが挙げられる。
【０１３６】
脂肪族ポリイソシアネートとしては、例えばヘキサメチレンジイソシアネート、テトラメチレンジイソシアネートなどが挙げられる。
【０１３７】
脂環族ポリイソシアネートとしては、例えばイソホロンジイソシアネート（３−イソシアナトメチル−３，５，５−トリメチルシクロヘキシルイソシアネート）、４，４’−、２，４’−または２，２’−ジシクロヘキシルメタンジイソシアネートもしくはその混合物などが挙げられる。
【０１３８】
芳香脂肪族ポリイソシアネートとしては、例えば、１，３−または１，４−キシリレンジイソシアネートもしくはその混合物、１，３−または１，４−ビス（１−イソシアナト−１−メチルエチル）ベンゼンもしくはその混合物などが挙げられる。
【０１３９】
芳香族ポリイソシアネートとしては、例えば４，４’−、２，４’−または２，２’−ジフェニルメタンジイソシアネートもしくはその混合物、２，４−または２，６−トリレンジイソシアネートもしくはその混合物、４，４’−トルイジンジイソシアネート、１，５−ナフタレンジイソシアネートなどが挙げられる。
【０１４０】
また、ポリイソシアネート化合物としては、上記した各種ポリイソシアネート化合物の多量体（例えば、二量体、三量体など）や、例えば上記した各種ポリイソシアネート化合物あるいはその多量体と、水との反応により生成するビウレット変性体、アルコールまたは上記した低分子量ポリオールとの反応により生成するアロファネート変性体、炭酸ガスとの反応により生成するオキサジアジントリオン変性体、さらには上記した低分子量ポリオールとの反応により生成するポリオール変性体などが挙げられる。
【０１４１】
これらポリイソシアネート化合物は、１種単独または２種以上を併用してもよく、好ましくは脂環族ポリイソシアネートが挙げられ、例えばイソホロンジイソシアネートが挙げられる。
【０１４２】
そして、ポリオール成分（すなわち、フルオレン骨格を含有する第１のジオールと、親水性基を有する第２のジオールと、必要によりポリオール化合物）と、ポリイソシアネート成分（すなわち、ポリイソシアネート化合物）とを反応させるには、公知の方法でよく、例えばポリオール成分のドロキシ基に対するポリイソシアネート成分のイソシアネート基の当量比（ＮＣＯ／ヒドロキシ基）が、例えば０．４〜１．０となる割合で配合することができ、好ましくは０．８〜０．９５となる割合である。したがって、フルオレン系樹脂に対して、例えば３０〜４５質量％の割合で配合することができる。フルオレン骨格を含有する第１のジオールの含有量が、上記の範囲であることで、定着性および透明性に優れる。
【０１４３】
フルオレン系樹脂としては、水不溶性樹脂（エマルジョン）、水溶性樹脂どちらの形態でも用いることができるが、水溶性樹脂の形態で用いることが好ましい。また、フルオレン系樹脂の重量平均分子量は３０００〜２００００の範囲であることが好ましく、５０００〜１５０００であることがより好ましく、６０００〜１２０００であることが特に好ましい。さらに、フルオレン系樹脂のガラス転移温度（Ｔｇ）は、好ましくは０℃以上であり、より好ましくは０℃以上２５０℃以下、さらに好ましくは４０℃以上２５０℃以下、より一層好ましくは８０℃以上２５０℃以下、特に好ましくは１２０℃以上２５０℃以下である。
【０１４４】
アクリル系樹脂は、アクリル酸、アクリル酸エステル、メタクリル酸もしくはメタクリル酸エステルの単独重合体；またはこれらの単量体と、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、塩化ビニリデン等との共重合体が挙げられる。なお、共重合体は、ランダム共重合体、ブロック共重合体、交互共重合体、グラフト共重合体のいずれの形態でも用いることができる。
【０１４５】
アクリル系樹脂としては、例えば大成ファインケミカル株式会社製の３ＭＦシリーズ  ３ＭＦ−３０９Ｓ、３ＭＦ−３２０、３ＭＦ−３３３、３ＭＦ−４０７、３ＭＦ−５７４、３ＭＦ−５８７；ＤＩＣ株式会社製のアクリル系エマルジョン  ボンコート４０−４１８ＥＦ；高松油脂株式会社製のＥＳ−９６０ＭＣ；三井化学株式会社製のＥＰＧ１２００が挙げられる。
【０１４６】
クリアインク組成物には、ポリオレフィンワックスを添加してもよい。ポリオレフィンワックスの機能の一つとしては、形成された皮膜の滑り性を高めることが挙げられる。これにより、上塗り層の耐擦性をより一層向上できる。
【０１４７】
ポリオレフィンワックスとしては、特に限定されるものではなく、例えばエチレン、プロピレン、ブチレン等のオレフィンまたはその誘導体から製造されたワックスおよびそのコポリマーが挙げられる。ポリオレフィンワックスの具体例としては、ポリエチレン系ワックス、ポリプロピレン系ワックス、ポリブチレン系ワックス、パラフィン系ワックス等が挙げられる。これらのポリオレフィンワックスは、１種単独または２種以上組み合わせて用いることができる。
【０１４８】
ポリオレフィンワックスは、市販品を用いることができ、例えば三井化学株式会社製のケミパール  Ｗ４００５（ポリエチレン系）等のケミパールシリーズや、ビックケミー・ジャパン株式会社製のＡＱＵＡＣＥＲ  ５１３、５１５、５３１、５５２、８４０（以上、すべてポリエチレン系）、４９８、５３７、５３９（以上、すべてパラフィン系）等のＡＱＵＡＣＥＲシリーズや、ハイテックＥ−７０２５Ｐ、ハイテックＥ-２２１３、ハイテックＥ-９４６０、ハイテックＥ-９０１５、ハイテックＥ−４Ａ、ハイテックＥ−５４０３Ｐ、ハイテックＥ−８２３７（以上、東邦化学株式会社製）等のハイテックシリーズ、ノプコートＰＥＭ−１７（サンノプコ社製、ポリエチレンエマルション、粒径４０ｎｍ）等が挙げられる。これらは、常法によりポリオレフィンワックスを水中に分散させた水系エマルションの形態で市販されている。
【０１４９】
ポリオレフィンワックスを含有する場合には、その含有量が、クリアインク組成物の全質量に対して、固形分換算で０．０５質量％以上２質量％以下であることが好ましく、０．１質量％以上１質量％以下であることがより好ましい。ポリオレフィンワックスの含有量が上記範囲内にあると、画像の光輝性を保持しつつ、耐擦性を一層向上できる場合がある。
【０１５０】
クリアインク組成物は、必要に応じて、光輝性インク組成物で説明した水溶性有機溶剤、界面活性剤、ｐＨ調整剤、水、防腐剤・防カビ剤、防錆剤、キレート化剤等を添加してもよい。
【０１５１】
３．手法
次に、本実施形態の手法について図面を用いて説明する。
【０１５２】
本実施形態のインクジェット記録システムは、複数の記録モードとして、セキュリティー画像を記録する第１モードと、非セキュリティー画像を記録する第２モードを有する。
【０１５３】
図３は、本実施形態のインクジェット記録システムにより記録されるセキュリティー画像について説明する図である。
【０１５４】
図３に示すように、第１モードでは、白色の記録媒体ＲＭ上の第１画像領域Ａ１に光輝性インク組成物を吐出して光輝性画像ＭＩを形成し、この上にカラーインク組成物を吐出してカラー画像ＣＩを形成し、更に、第１画像領域Ａ１に接する（第１画像領域Ａ１の周囲の）第２画像領域Ａ２にカラーインク組成物を吐出してカラー画像ＣＩを形成する。これにより、入力画像に応じたセキュリティー画像ＳＩが記録媒体ＲＭに記録される。
【０１５５】
第１画像領域Ａ１及び第２画像領域Ａ２のいずれか一方は、入力画像における文字等（文字、バーコード、図形等の情報画像）に対応する領域であり、他方は、情報画像の背景（背景画像）に対応する領域である。図３に示す例では、文字に対応する領域を第１画像領域Ａ１とし、背景に対応する領域を第２画像領域Ａ２としているが、両者を入れ替えてもよい。
【０１５６】
第１画像領域Ａ１に形成されるカラー画像ＣＩと第２画像領域Ａ２に形成されるカラー画像ＣＩの色は、入力画像における文字等の色に対応する色である。また、第１画像領域Ａ１でのカラーインク組成物の単位面積当たりの吐出量と、第２画像領域Ａ２でのカラーインク組成物の単位面積当たりの吐出量を同等とし、両者の差を１０％以下とすることが望ましい。
【０１５７】
セキュリティー画像ＳＩは、観察する視点の角度を変化させることで文字等の情報画像の視認性が変化する画像である。すなわち、光源ＬＳと視点ＶＰが図４（Ａ）で示す位置関係にあるとき（視点ＶＰが拡散光領域にあるとき）にセキュリティー画像ＳＩを観察した場合には、第１画像領域Ａ１の光輝性画像ＭＩから視点ＶＰに到達する反射光量よりも第２画像領域Ａ２における記録媒体ＲＭから視点ＶＰに到達する反射光量が大きくなることで、第１画像領域Ａ１に形成される画像（文字等の情報画像）と第２画像領域Ａ２に形成される画像（背景画像）との色調差（明暗差）を視認し易くなるため、文字等の情報画像を視認することができる。
【０１５８】
一方、光源ＬＳと視点ＶＰが図４（Ｂ）で示す位置関係にあるとき（視点ＶＰが正反射光領域にあるとき）にセキュリティー画像ＳＩを観察した場合には、第１画像領域Ａ１の光輝性画像ＭＩから視点ＶＰに到達する反射光量と第２画像領域Ａ２における記録媒体ＲＭから視点ＶＰに到達する反射光量がともに大きくなることで、第１画像領域Ａ１に形成される画像と第２画像領域Ａ２に形成される画像との色調差（明暗差）を視認し難くなるため、文字等の情報画像を視認することができなくなる。
【０１５９】
図５は、本実施形態のインクジェット記録システムにより記録される非セキュリティー画像について説明する図である。
【０１６０】
図５に示すように、第２モードでは、記録媒体ＲＭ上の第１画像領域Ａ１に光輝性インク組成物を吐出して光輝性画像ＭＩを形成し、この上にカラーインク組成物を吐出してカラー画像ＣＩを形成する。これにより、入力画像に応じた非セキュリティー画像ＮＩが記録媒体ＲＭに記録される。第２モードでは、第２画像領域Ａ２にカラー画像ＣＩが形成されないため、視点ＶＰの角度に関わらず文字等の情報画像を視認することができる。
【０１６１】
本実施形態では、第１モードにおける第１画像領域Ａ１でのカラーインク組成物の単位面積当たりの吐出量（カラー画像ＣＩの積層厚さ）が、第２モードにおける第１画像領域Ａ１でのカラーインク組成物の単位面積当たりの吐出量よりも多くなるようにしている。このように、第１モードでセキュリティー画像ＳＩを記録する場合には、カラーインク組成物の吐出量を多くすることで、光輝性画像ＭＩのメタリック感をカラー画像ＣＩの散乱によって無くすことができ、これにより、視点角度の変化による視認性の変化が大きいセキュリティー画像ＳＩを記録することができる。また、第２モードで非セキュリティー画像ＮＩを記録する場合に、カラーインク組成物の吐出量を減らすことで、カラー画像ＣＩによる散乱を抑えることができ、メタルカラー感の高い非セキュリティー画像ＮＩを記録することができる。
【０１６２】
なお、図６に示すように、第１モードにおいて、光輝性画像ＭＩの上にクリアインク組成物を吐出してクリア画像ＣＬを形成し、クリア画像ＣＬの上にカラーインク組成物を吐出してカラー画像ＣＩを形成することで、セキュリティー画像ＳＩを記録媒体ＲＭに記録してもよい。また、光輝性画像ＭＩとカラー画像ＣＩの間にクリア画像ＣＬを形成する第３モードを、図３に示した第１モードとは異なる記録モードとして用意し、ユーザーが、セキュリティー画像ＳＩを記録するモードとして第１モードと第３モードのいずれかを選択できるように構成してもよい。光輝性画像ＭＩとカラー画像ＣＩの間にクリア画像ＣＬを形成する場合には、クリア画像ＣＬを形成しない場合よりも、第１画像領域Ａ１でのカラーインク組成物の吐出量を少なくしている。光輝性画像ＭＩとカラー画像ＣＩの間にクリア画像ＣＬを形成することで、第１画像領域Ａ１でのカラーインク組成物の吐出量を減らしても、視点角度の変化による視認性の変化が大きいセキュリティー画像ＳＩを記録することができる。また、クリア画像ＣＬを形成することで、印刷画像の耐擦性を向上することができる。なお、第２画像領域Ａ２における記録媒体ＲＭとカラー画像ＣＩの間にもクリア画像ＣＬを形成して、第２画像領域Ａ２でのカラーインク組成物の吐出量を少なくしてもよい。
【０１６３】
ここで、第１画像領域Ａ１及び第２画像領域Ａ２におけるカラー画像ＣＩの色調によっては、セキュリティー性が低い（視点角度の変化による視認性の変化が小さい）セキュリティー画像ＳＩが記録されてしまうことがある。例えばカラー画像ＣＩの色が黄色の場合には、第１画像領域Ａ１に形成される画像のＬ値と第２画像領域Ａ２に形成される画像のＬ値の差が大きくなるため、視点角度の変化による視認性の変化が小さくなる。一方、例えばカラー画像ＣＩの色が青色の場合には、第１画像領域Ａ１に形成される画像のＬ値と第２画像領域Ａ２に形成される画像のＬ値の差が小さくなるため、視点角度の変化による視認性の変化が大きくなる。そこで、入力画像における文字等の情報画像の色調が所定の条件を満たさない場合には、当該入力画像に応じたセキュリティー画像のセキュリティー性が低いと判断して、その旨をユーザーに警告する告知を行ってもよい。また、セキュリティー画像のセキュリティー性が低いと判断した場合に、第１画像領域Ａ１に形成される画像のＬ値と第２画像領域Ａ２に形成される画像のＬ値の差が小さくなるように、第１画像領域Ａ１及び第２画像領域Ａ２の少なくとも一方におけるカラー画像ＣＩの色調を自動補正してもよい。
【０１６４】
また、第１画像領域Ａ１の面積が小さい場合も、セキュリティー性が低いセキュリティー画像ＳＩが記録されてしまうことがある。そこで、入力画像における文字等の情報画像の面積が所定位置以下である場合に、当該入力画像に応じたセキュリティー画像のセキュリティー性が低いと判断して、その旨をユーザーに警告する告知を行うか、または、第１画像領域Ａ１及び第２画像領域Ａ２の面積を大きくする補正を行ってもよい。
【０１６５】
４．処理
図７は、本実施形態のインクジェット記録システムにおける処理の流れを示すフローチャートである。
【０１６６】
まず、処理部１００は、印刷対象となる入力画像のデータを取得する（ステップＳ１０）。次に、モード選択部１０２は、操作部１１０からの操作情報に基づき記録モードを選択する（ステップＳ１２）。
【０１６７】
次に、処理部１００（吐出量制御部１０４）は、選択された記録モードに基づいて、入力画像のデータを印刷データ（記録データ）に変換する（ステップＳ１４）。すなわち、入力画像のＲＧＢデータをＣＭＹＫデータに変換し、更にドット発生率データに変換し、第１モード（又は第３モード）が選択された場合には、入力画像に応じたセキュリティー画像を印刷するための印刷データを生成し、第２モードが選択された場合には、入力画像に応じた非セキュリティー画像を印刷するための印刷データを生成する。ここで、処理部１００は、第１モード（又は第３モード）が選択された場合に、セキュリティー画像作成用画面を表示部１２０に表示させ、この画面に入力画像（セキュリティーパターン画像）を表示させ、入力画面の文字等（セキュリティーパターン）の周辺にカラー画像の印刷データを自動配置して、セキュリティー画像の印刷データを生成してもよい。また、第１モード（又は第３モード）が選択された場合に、入力画像に応じたセキュリティー画像のセキュリティー性を判定し、セキュリティー画像作成用画面において判定結果（警告等）を表示してもよい。この場合に、判定結果に応じてユーザーが入力画像の文字等及び周辺のカラー画像の色調（或いは、入力画像の文字等の大きさ）を補正できるように構成してもよいし、判定結果に応じて自動補正を行ってその結果を表示してもよい。
【０１６８】
このように変換された印刷データはインクジェット記録装置１０に出力され、インクジェット記録装置１０によってセキュリティー画像又は非セキュリティー画像が印刷される（ステップＳ１６）。
【０１６９】
５．評価結果
本実施形態の手法によりセキュリティー画像を記録媒体に印刷し、視認性の評価を行った。
【０１７０】
光輝性インク組成物として、アルミニウム顔料１．２質量％、ウレタン樹脂０．５質量％、ヘキシレングリコール１２質量％、プロピレングリコール２８質量％、ＢＹＫ−３４８（ビックケミー・ジャパン株式会社製）０．４質量％、トリエタノールアミン０．１５質量％、水５７．７５質量％からなるアルミインクを用いた。
【０１７１】
また、カラーインク組成物として、ピグメントブルー１５：３（シアン顔料）３質量％、グリセリン１２質量％、２−ピロリドン４質量％、１，２−ヘキサンジオール３質量％、ＢＹＫ−３４８（ビックケミー・ジャパン株式会社製）０．４質量％、トリエタノールアミン０．２質量％、水７７．４質量％からなるシアンインクを用いた。
【０１７２】
また、クリアインク組成物として、フルオレン３質量％、１，２−ヘキサンジオール５質量％、プロピレングリコール１２質量％、２−ピロリドン４質量％、トリプロパノールアミン０．５質量％、ＡＱＵＡＣＥＲ５１５（ビックケミー・ジャパン株式会社製）１質量％、ＢＹＫ−３４８（ビックケミー・ジャパン株式会社製）０．５質量％、水７４質量％からなるクリアインクを用いた。
【０１７３】
光輝性インク組成物、カラーインク組成物及びクリアインク組成物をインクセットとして、インクジェットプリンター（商品名「ＰＸ−Ｇ９３０」、セイコーエプソン株式会社製）に搭載した。そして、記録媒体（エプソン純正写真用紙＜光沢＞、セイコーエプソン株式会社製）に、光輝性インク組成物、カラーインク組成物及びクリアインク組成物からなるセキュリティー画像を形成（印刷）した。具体的には、第１画像領域（文字に対応する領域）に光輝性インク組成物からなる光輝性画像を形成し、光輝性画像の上にクリアインク組成物からなるクリア画像を形成し（形成しない場合もあり）、クリア画像の上にカラーインク組成物からなるカラー画像を形成し、第２画像領域（背景に対応する領域）にカラーインク組成物からなるカラー画像を形成した。
【０１７４】
そして、第１画像領域に吐出される光輝性インク組成物中の単位面積当たりの光輝性顔料の重量（ｍｇ／ｉｎｃｈ２）、と第１画像領域に吐出されるクリアインク組成物のｄｕｔｙ（％）と、第１画像領域及び第２画像領域に吐出されるカラーインク組成物中の単位面積当たりの色材の重量（ｍｇ／ｉｎｃｈ２）とを変えながらセキュリティー画像の視認性を評価し、特定の視点角度（正反射光領域）でセキュリティー画像中の文字（第１画像領域に形成される画像）が視認できなくなる時の、カラーインク組成物中の単位面積当たりの色材の重量を評価した。評価結果を表１に示す。
【０１７５】
【表１】
0006384165.tif 000002
【０１７６】
表１から、光輝性インク組成物の吐出量が少ないと、カラーインク組成物の吐出量も少なくて済むことが分かる。また、クリアインク組成物の吐出量を多くすることで、カラーインク組成物の吐出量を減らせることが分かる。また、特定の視点角度でセキュリティー画像中の文字が視認できなくなる時の、カラーインク組成物中の単位面積当たりの色材重量Ａと、光輝性インク組成物中の単位面積当たりの光輝性顔料の重量Ｃとが、次の関係、０．３≧Ｃ／（Ａ＋Ｃ）≧０．０４５を満たすことが分かる。
【０１７７】
また、上記の条件でセキュリティー画像を形成した記録媒体をカラーコピー機でコピーして複写物を作成し、作成した複写物が視点角度の変化によって視認性が変化しないこと（偽造防止効果があること）を確認した。
【０１７８】
本発明の技術範囲は上記実施形態に限定されるものではなく、本発明の趣旨を逸脱しない範囲で適宜変更を加えることができる。
【符号の説明】
【０１７９】
１  インクジェット記録システム、２  記録用紙、１０  インクジェット記録装置、１１  前面カバー、１２  排紙口、１３  給紙トレイ、１４  上面カバー、１５  操作ボタン、２０  キャリッジ、２２  記録ヘッド、３０  駆動機構、３２  タイミングベルト、３４  駆動モーター、４０  インクカートリッジ、５０  インク供給装置、６０  インクチューブ、７０  空気ポンプユニット、９０  キャップ部材、１００  処理部（制御部）、１０２  モード選択部、１０４  吐出量制御部、１１０  操作部、１２０  表示部、１３０  記憶部
【図１】
0006384165.tif 000003
【図２】
0006384165.tif 000004
【図３】
0006384165.tif 000005
【図４】
0006384165.tif 000006
【図５】
0006384165.tif 000007
【図６】
0006384165.tif 000008
【図７】
0006384165.tif 000009